(57)【要約】      （修正有）【課題】竹炭による貯水を効果的に行うことにより複雑な潅水設備を不要とし、さらに屋上への配置を工夫することで低コストを実現するとともに、設置後の移動や撤去も容易な竹炭貯水式屋上緑化ユニット及び竹炭貯水式屋上緑化システムを提供する。【解決手段】箱体１の内部に、貯水のための竹炭層２と、植物を植えるための培養土層３とを下から順に積層するとともに、竹炭層２と培養土層３との境目に排水口４を設けて竹炭貯水式屋上緑化ユニット１０とする。また、竹炭貯水式屋上緑化ユニット１０を複数用意し、建築物の屋上に市松模様に配置する。隣り合う竹炭貯水式屋上緑化ユニット１０の間隙部に、成長する植物５を支持するための支持網を設ける。【選択図】図２
0003161194.tif 000002
【実用新案登録請求の範囲】
【請求項１】
箱体の内部に、貯水のための竹炭層と、植物を植えるための培養土層とを下から順に積層するとともに、前記竹炭層と前記培養土層との境目に排水口を設けたことを特徴とする竹炭貯水式屋上緑化ユニット。
【請求項２】
請求項１に記載の竹炭貯水式屋上緑化ユニットを複数用意し、建築物の屋上に市松模様に配置したことを特徴とする竹炭貯水式屋上緑化システム。
【請求項３】
隣り合う竹炭貯水式屋上緑化ユニットの間隙部に、成長する植物を支持するための支持網を設けたことを特徴とする請求項２に記載の竹炭貯水式屋上緑化システム。
【考案の詳細な説明】
【技術分野】
【０００１】
本考案は、建築物の屋上を緑化するための屋上緑化ユニット及び屋上緑化システムに関するものである。
【背景技術】
【０００２】
従来、都市部の気温が周辺部よりも高くなる都市高温化現象（ヒートアイランド現象）や、地球温暖化に関する環境問題への対応策の１つとして、建築物の屋上緑化が行われている。屋上緑化のための装置は数多く提案されているが、潅水対応やコストの問題があり、普及のためにはこの問題を解決していく必要がある。これに対して、例えば特許文献１には、竹炭を用いることで、潅水の手間を軽減するようにした屋上緑化工法が記載されている。特許文献１に記載された発明においては、植物の下に土と竹炭を埋設して貯水能力を持たせるとともに、貯水タンク、循環パイプ、及び循環モータを設けて、渇水時の潅水を可能にしている。
【先行技術文献】
【特許文献】
【０００３】
【特許文献１】特開２００７−２３６３７９号公報
【考案の概要】
【考案が解決しようとする課題】
【０００４】
しかしながら、上記特許文献１に記載された屋上緑化工法においては、竹炭に貯水した水だけでは渇水時に対応できない恐れがあるため、別途雨水を貯水タンクに貯水しておく必要がある。そのため、貯水タンク、循環パイプ、及び循環モータを用意する必要があり、高コストになってしまう。さらに、設備が複雑になり、いったん設置してしまうと移動や撤去が困難である。
【０００５】
本考案は、上記従来の課題を解決するものであり、竹炭による貯水を効果的に行うことにより複雑な潅水設備を不要とし、さらに屋上への配置を工夫することで低コストを実現するとともに、設置後の移動や撤去も容易な竹炭貯水式屋上緑化ユニット及び竹炭貯水式屋上緑化システムを提供するものである。
【課題を解決するための手段】
【０００６】
請求項１に係る考案の竹炭貯水式屋上緑化ユニットは、箱体の内部に、貯水のための竹炭層と、植物を植えるための培養土層とを下から順に積層するとともに、前記竹炭層と前記培養土層との境目に排水口を設けたことを特徴とする。
【０００７】
請求項２に係る考案の竹炭貯水式屋上緑化システムは、請求項１に記載の竹炭貯水式屋上緑化ユニットを複数用意し、建築物の屋上に市松模様に配置したことを特徴とする。
【０００８】
請求項３に係る考案は、請求項２に記載の竹炭貯水式屋上緑化システムにおいて、隣り合う竹炭貯水式屋上緑化ユニットの間隙部に、成長する植物を支持するための支持網を設けたことを特徴とする。
【考案の効果】
【０００９】
請求項１に記載の考案によれば、箱体の内部に、貯水のための竹炭層と、植物を植えるための培養土層とを下から順に積層したので、竹炭貯水式屋上緑化ユニットに降った雨水は、培養土層に浸み込んで植物に吸収され、さらに余剰分は下層にある竹炭層に浸み込んで、竹炭によって保水される。竹炭の保水力は大きく、雨水の貯水タンクとして機能し、渇水時には培養土層に水を供給することができる。従って、外部から水を供給するための装置を別途設ける必要がなく、複雑な潅水設備が不要である。さらに、竹炭に保水させることで、都市高温化現象（ヒートアイランド現象）の抑制にもつながる。
【００１０】
また、竹炭層と培養土層との境目に排水口を設けたので、雨量が多い場合に、竹炭層からオーバーフローした雨水は、排水口を通して外に排出される。従って、オーバーフローした雨水が培養土層に溜まって植物が根腐れするのを防止しながら、渇水時に備えて必要な水を貯水することができる。
【００１１】
また、竹炭貯水式屋上緑化ユニットは、箱体の内部に竹炭層、培養土層、及び排水口を設けた簡易な構造であって、給水配管などの複雑な装置が必要ないため、設置後の移動や撤去が容易である。
【００１２】
また、請求項２に記載の考案によれば、竹炭貯水式屋上緑化ユニットを複数用意し、建築物の屋上に市松模様に配置したので、竹炭貯水式屋上緑化ユニットを屋上全体に配置するのに比べて、半分の数だけ配置すればよい。隣り合う竹炭貯水式屋上緑化ユニットの間隙部は、竹炭貯水式屋上緑化ユニットに植えた植物が成長するにつれて、茎や葉が伸びていき最終的に緑化されて、緑化面積とみなすことができる。また、市松模様にすることで、上空からの見栄えも良くなる。また、竹炭貯水式屋上緑化システムは、移動や撤去が容易な竹炭貯水式屋上緑化ユニットを複数配置することにより構成されているので、竹炭貯水式屋上緑化システム全体も移動や撤去が容易である。
【００１３】
さらに、請求項３に記載の考案によれば、隣り合う竹炭貯水式屋上緑化ユニットの間隙部に、成長する植物を支持するための支持網を設けたので、竹炭貯水式屋上緑化ユニットに植えた植物の茎や葉を網によって支持することにより、間隙部の緑化を促進させることができる。特に、蔓性植物を植えて支持網に絡みつかせると効果的である。
【００１４】
以上、本考案によれば、竹炭による貯水を効果的に行うことにより複雑な潅水設備を不要とし、さらに屋上への配置を工夫することで低コストを実現するとともに、設置後の移動や撤去も容易な竹炭貯水式屋上緑化ユニット及び竹炭貯水式屋上緑化システムを提供することができる。
【図面の簡単な説明】
【００１５】
【図１】本考案の実施形態１に係る竹炭貯水式屋上緑化ユニットを示す斜視図である。
【図２】図１のＸ−Ｘ断面図である。
【図３】本考案の実施形態２に係る竹炭貯水式屋上緑化システムを示す平面図（植物成長前）である。
【図４】本考案の実施形態２に係る竹炭貯水式屋上緑化システムを示す平面図（植物成長後）である。
【図５】本考案の実施形態３に係る竹炭貯水式屋上緑化システムを示す平面図（植物成長前）である。
【図６】図５の部分拡大断面図である。
【図７】本考案の実施形態３に係る竹炭貯水式屋上緑化システムを示す平面図（植物成長後）である。
【図８】図７の部分拡大断面図である。
【考案を実施するための形態】
【００１６】
次に、図１乃至図８を参照して、本考案の実施形態に係る竹炭貯水式屋上緑化ユニット及び竹炭貯水式屋上緑化システムについて説明する。最初に図１及び図２を参照して、実施形態１に係る竹炭貯水式屋上緑化ユニット１０について説明する。図１は、竹炭貯水式屋上緑化ユニット１０を示す斜視図であり、図２は、図１のＸ−Ｘ断面図である。
【００１７】
図１及び図２に示すように、竹炭貯水式屋上緑化ユニット１０は、直方体状の箱体１の内部に竹炭層２と培養土層３を下から順に積層して構成されており、培養土層３に植物５が植えられている。また、箱体１の側面には排水口４が設けられている。箱体１は、外に水が漏れないように、例えばプラスチック板等により形成されている。
【００１８】
竹炭層２は、箱体１の底面から深さＡだけ積層されている。使用する竹炭は、例えば粒径５ｍｍ〜２０ｍｍ程度で、燃焼温度７００℃〜８００℃で蒸し焼きにしたものを用いるとよい。竹炭層２の上部には、植物の成長を促進するように豊富な養分を含んだ培養土層３が深さＢだけ積層されている。積層する深さについては、例えば、竹炭層２の深さＡを３０〜１００ｍｍ、培養土層３の深さＢを７０〜１５０ｍｍにするとよい。
【００１９】
排水口４は、竹炭層２と培養土層３の境目に設けられている。境目に設けることにより、竹炭貯水式屋上緑化ユニット１０に降った雨水のうち、竹炭層２からオーバーフローした雨水は、排水口４を通して外に排出されるようになっている。また、箱体１の内側の排水口４に対応する部分には、竹炭や培養土の流出を防止するために、流出防止網７が取り付けられている。なお、本実施形態では、箱体１の側面に設けた穴を排水口としたが、竹炭層２と培養土層３の境目の高さに、別途水抜きパイプ等を設けて排水口としてもよい。また、排水口の数は特に限定されない。
【００２０】
竹炭貯水式屋上緑化ユニット１０は、建築物の屋上に配置される。そして、植えられた植物５は雨水により水分を供給されながら成長していく。このとき、植物５に吸収されなかった余剰水分は、竹炭層２に浸透して渇水時の供給用として竹炭内に蓄えられる。
【００２１】
実施形態１に係る竹炭貯水式屋上緑化ユニット１０によれば、箱体１の内部に、貯水のための竹炭層２と、植物５を植えるための培養土層３とを下から順に積層したので、竹炭貯水式屋上緑化ユニット１０に降った雨水は、培養土層３に浸み込んで植物５に吸収され、さらに余剰分は下層にある竹炭層２に浸み込んで、竹炭によって保水される。竹炭の保水力は大きく、雨水の貯水タンクとして機能し、渇水時には培養土層３に水を供給することができる。従って、外部から水を供給するための装置を別途設ける必要がなく、複雑な潅水設備が不要である。さらに、竹炭に保水させることで、都市高温化現象（ヒートアイランド現象）の抑制にもつながる。
【００２２】
また、竹炭層２と培養土層３との境目に排水口４を設けたので、雨量が多い場合に、竹炭層２からオーバーフローした雨水は、排水口４を通して外に排出される。従って、オーバーフローした雨水が培養土層３に溜まって植物５が根腐れするのを防止しながら、渇水時に備えて必要な水を貯水することができる。
【００２３】
また、竹炭貯水式屋上緑化ユニット１０は、箱体１の内部に竹炭層２、培養土層３、及び排水口４を設けた簡易な構造であって、給水配管などの複雑な装置が必要ないため、設置後の移動や撤去が容易である。
【００２４】
次に、図３及び図４を参照して、実施形態２に係る竹炭貯水式屋上緑化システムについて説明する。図３及び図４はそれぞれ、実施形態２に係る竹炭貯水式屋上緑化システム２０を示す平面図（植物成長前）と平面図（植物成長後）である。
【００２５】
図３に示すように、竹炭貯水式屋上緑化システム２０は、実施形態１に係る竹炭貯水式屋上緑化ユニット１０を複数用意し、建築物の屋上１００に市松模様に配置して構成されている。隣り合う竹炭貯水式屋上緑化ユニット１０，１０の間には、間隙部Ｙが発生している。
【００２６】
ここで、隣り合う竹炭貯水式屋上緑化ユニット１０，１０の間隙部Ｙは、設置当初は緑化されていない状態であるが、竹炭貯水式屋上緑化ユニット１０内の植物５が成長するにつれて、図４に示すように、茎や葉５ａが間隙部Ｙに向けて伸びていき、間隙部Ｙを徐々に緑化していく。
【００２７】
実施形態２に係る竹炭貯水式屋上緑化システム２０によれば、竹炭貯水式屋上緑化ユニット１０を複数用意し、建築物の屋上１００に市松模様に配置したので、竹炭貯水式屋上緑化ユニット１０を屋上１００全体に配置するのに比べて、半分の数だけ配置すればよい。隣り合う竹炭貯水式屋上緑化ユニット１０，１０の間隙部Ｙは、竹炭貯水式屋上緑化ユニット１０に植えた植物５が成長するにつれて、茎や葉５ａが伸びていき最終的に緑化されて、緑化面積とみなすことができる。また、市松模様にすることで、上空からの見栄えも良くなる。また、竹炭貯水式屋上緑化システム２０は、移動や撤去が容易な竹炭貯水式屋上緑化ユニット１０を複数配置することにより構成されているので、竹炭貯水式屋上緑化システム２０全体も移動や撤去が容易である。
【００２８】
次に、図５乃至図８を参照して、実施形態３に係る竹炭貯水式屋上緑化システムについて説明する。図５は、実施形態３に係る竹炭貯水式屋上緑化システム３０を示す平面図（植物成長前）であり、図６は、図５の部分拡大断面図である。また図７は、実施形態３に係る竹炭貯水式屋上緑化システム３０を示す平面図（植物成長後）であり、図８は、図７の部分拡大断面図である。
【００２９】
図５に示すように、竹炭貯水式屋上緑化システム３０は、実施形態２に係る竹炭貯水式屋上緑化システム２０と同様に、実施形態１に係る竹炭貯水式屋上緑化ユニット１０を複数用意し、建築物の屋上１００に市松模様に配置して構成されており、隣り合う竹炭貯水式屋上緑化ユニット１０，１０の間には、間隙部Ｙが発生している。
【００３０】
さらに、竹炭貯水式屋上緑化システム３０においては、隣り合う竹炭貯水式屋上緑化ユニット１０，１０の間隙部Ｙに、支持網６が設けられている。支持網６は、例えば金網を用いることができ、図６に示すように、竹炭貯水式屋上緑化ユニット１０の縁に引っ掛けるようにして取り付けるとよい。なお、支持網６は金網に限定されるものではなく、プラスチック製であってもよいし、ビニール紐を編みこんだような柔らかい材質の網を竹炭貯水式屋上緑化ユニット１０に結び付けてもよい。
【００３１】
間隙部Ｙは、設置当初は緑化されていない状態であるが、竹炭貯水式屋上緑化ユニット１０内の植物５が成長するにつれて、図７に示すように、茎や葉５ａが間隙部Ｙに向けて伸びていき、間隙部Ｙを徐々に緑化していく。このとき、茎や葉５ａが支持網６に支持されながら成長していく。特に植物５がつる蔓性植物の場合は、図８に示すように支持網６に絡みつきながら成長する。
【００３２】
実施形態３に係る竹炭貯水式屋上緑化システム３０によれば、隣り合う竹炭貯水式屋上緑化ユニット１０，１０の間隙部Ｙに、成長する植物５を支持するための支持網６を設けたので、竹炭貯水式屋上緑化ユニット１０に植えた植物５の茎や葉５ａを網によって支持することにより、間隙部Ｙの緑化を促進させることができる。特に、蔓性植物を植えて支持網６に絡みつかせると効果的である。
【００３３】
以上、本考案によれば、竹炭による貯水を効果的に行うことにより複雑な潅水設備を不要とし、さらに屋上への配置を工夫することで低コストを実現するとともに、設置後の移動や撤去も容易な竹炭貯水式屋上緑化ユニット及び竹炭貯水式屋上緑化システムを提供することができる。
【符号の説明】
【００３４】
１  箱体
２  竹炭層
３  培養土層
４  排水口
５  植物
６  支持網
７  流出防止網
１０  竹炭貯水式屋上緑化ユニット
２０  竹炭貯水式屋上緑化システム
３０  竹炭貯水式屋上緑化システム
１００  屋上
【図１】
0003161194.tif 000003
【図２】
0003161194.tif 000004
【図３】
0003161194.tif 000005
【図４】
0003161194.tif 000006
【図５】
0003161194.tif 000007
【図６】
0003161194.tif 000008
【図７】
0003161194.tif 000009
【図８】
0003161194.tif 000010